(57)【要約】　　　（修正有）【課題】ＩＣレコーダなどの外部装置から直接ＰＣなどの音声データ処理装置に録音を行った場合でも、両者の間でのデータの整合性を保つことができるようにすること。【解決手段】音声データを記録する記録媒体を有するコンピュータ２２に対して、ＩＣレコーダ２１から音声データの通信がなされた場合には、パーソナルコンピュータ２２側では通信された音声データにスケジュール情報が付加されてスケジュールファイルが作成される。スケジュールファイルの作成後には自動的に、そのスケジュールファイルがＩＣレコーダ２１に送信される。【選択図】　　図１
2004101563.tif 000002
【特許請求の範囲】
【請求項１】
音声データを記録する記録手段と、
上記記録手段に音声データを記録する際に、上記音声データにスケジュール情報を付加するスケジュール付加手段と、
上記スケジュール情報を用いて音声データを管理することが可能な外部装置と通信接続するための接続手段と、
上記接続手段を介して上記外部装置が通信接続されたときに上記音声データを上記外部装置に送信する送信手段と、
を具備することを特徴とする音声データ処理装置。
【請求項２】
上記送信手段による送信の際に、現在の送信対象である音声データが以前に送信されたことがあるか否か、および／または上記外部装置内に現在の送信対象である音声データが既に存在するか否かを判定する判定手段と、
上記判定手段により、現在の送信対象である音声データが送信されたことがないと判定された場合、および／または上記外部装置内に現在の送信対象である音声データが存在しないと判定された場合に、上記送信手段に上記音声データの送信を行わせるように制御する制御手段と、
をさらに具備することを特徴とする請求項１に記載の音声データ処理装置。
【請求項３】
上記外部装置は、入力された音声信号をデジタル変換して音声データとして記憶媒体に格納すること、及びこの記憶媒体に格納されている音声データを再生することが可能な音声記録再生装置であり、
上記音声記録再生装置が通信接続された状態において、上記音声記録再生装置によってデジタル変換された音声データをリアルタイムに取得して上記記録手段に記録することを特徴とする請求項１に記載の音声データ処理装置。
【請求項４】
上記送信手段は、上記記録手段への上記音声データの記録が終了した直後に上記音声データを上記外部装置に送信することを特徴する請求項１に記載の音声データ処理装置。
【請求項５】
コンピュータに、
音声データにスケジュール情報を付加して記録させる機能と、
上記音声データを上記スケジュール情報を用いて管理することが可能な外部機器と通信接続された場合に、上記記録させた音声データを上記外部装置に送信させる機能と、
を実現させることを特徴とする音声データ処理プログラム。
【請求項６】
さらにコンピュータに、
上記音声データを上記外部装置に送信させる際に、現在の送信対象である音声データが以前に送信されたことがあるか否か、および／または上記外部装置内に現在の送信対象である音声データが既に存在するか否かを判定させる機能と、
現在の送信対象である音声データが送信されたことがないと判定された場合、および／または上記外部装置内に現在の送信対象である音声データが存在しないと判定された場合、に上記送信手段に上記音声データの送信を行わせる機能と、を実現させることを特徴とする請求項５に記載の音声データ処理プログラム。
【請求項７】
上記外部装置は、入力された音声信号をデジタル変換して音声データとして記憶媒体に格納すること、及びこの記憶媒体に格納されている音声データを再生することが可能な音声記録再生装置であり、
上記音声記録再生装置と通信接続された状態において、さらにコンピュータに、上記音声記録再生装置によって変換された音声データをリアルタイムに取得して記録させる機能を実現させることを特徴とする請求項５に記載の音声データ処理プログラム。
【発明の詳細な説明】
【０００１】
【発明の属する技術分野】
本発明は、音声データ処理装置及び音声データ処理プログラムに関する。
【０００２】
【従来の技術】
従来、カレンダに音声の記録機能及び音声の再生機能を付加することにより、予め日付ごとに録音しておいた音声を必要なときに再生することができるという録音・再生機能を持ったカレンダに関する技術がある。（例えば、特許文献１参照。）。この技術によれば、ユーザは、カレンダのスペースに予定内容を要約して書き込むなどの作業を必要とせずに簡単に予定の記録を行うことができる。
【０００３】
しかし、この技術は、音声によって予定の記録及び再生ができるカレンダである。つまり、ユーザがこのカレンダを携帯し、記録したい予定が発生する毎に、その予定を記録する旨のものではない。したがって、このカレンダが手元に無い場所で予定の記録を行う必要が生じた場合には、その予定を紙に書き留める等しておき、後で、この書き留めておいた予定をカレンダに記録しなければならなかった。
【０００４】
また、近年では、音声データ処理装置としてのパーソナルコンピュータ（以後、ＰＣと称する）等にインストールされた予定管理用のアプリケーションソフトにより予定管理を行うこともある。この場合には、予定を記録しておく必要が生じた場合には、ＩＣレコーダ等の音声記録装置にその予定を記録しておき、記録した予定をそのままＰＣに転送することができる。また、ＰＣ上では音声データの編集なども可能である。
【０００５】
【特許文献１】
特開平６−３３６０９４号公報
【０００６】
【発明が解決しようとする課題】
ＩＣレコーダをマイクロホン代わりに用いて、ＩＣレコーダ内の記録媒体に音声データを記憶させずに直接、ＰＣ等に音声を記録させる技術もあるが、このようにして音声データをＰＣ等に記録させた場合には、ＩＣレコーダ内に音声データが記録されることはない。このとき、ＰＣとＩＣレコーダとの間でデータの不整合が生じてしまう。つまり、ＰＣに記録した音声をＩＣレコーダでも聞く必要が生じた場合などには、ＰＣからＩＣレコーダに音声データを転送し直すことになり、非常に不便である。
【０００７】
本発明は、上記の事情に鑑みてなされたもので、ＩＣレコーダなどの外部装置から直接ＰＣなどの音声データ処理装置に録音を行った場合でも、両者の間でのデータの整合性を保つことができる音声データ処理装置及び音声データ処理プログラムを提供することを目的とする。
【０００８】
【課題を解決するための手段】
上記の目的を達成するために、本発明による音声データ処理装置は、音声データを記録する記録手段と、上記記録手段に音声データを記録する際に、上記音声データにスケジュール情報を付加するスケジュール付加手段と、上記スケジュール情報を用いて音声データを管理することが可能な外部装置と通信接続するための接続手段と、上記接続手段を介して上記外部装置が通信接続されたときに上記音声データを上記外部装置に送信する送信手段とを具備することを特徴とする。
【０００９】
また、上記の目的を達成するために、本発明による音声データ処理プログラムは、コンピュータに、音声データにスケジュール情報を付加して記録させる機能と、上記音声データを上記スケジュール情報を用いて管理することが可能な外部機器と通信接続された場合に、上記記録させた音声データを上記外部装置に送信させる機能とを実現させることを特徴とする。
【００１０】
【発明の実施の形態】
以下、本発明の一実施の形態を図面を参照して説明する。
図１（Ａ）は、本発明の一実施の形態に係る音声データ処理装置と通信接続される「外部装置」の一例であるＩＣレコーダの構成図である。
【００１１】
まず、音声記録時の信号の流れに従って、ＩＣレコーダの構成及び動作を説明する。
マイクロホン（ＭＩＣ）１は、外部から入力された音声を電気信号に変換して増幅器（ＡＭＰ）２に出力する。ＡＭＰ２では、入力された信号を増幅して、この増幅信号を低域通過フィルタ（ＬＰＦ）３に出力する。次に、ＬＰＦ３では入力された信号から不要な高周波ノイズを除去した後、この信号をアナログ／デジタル（Ａ／Ｄ）変換器４に出力する。そして、Ａ／Ｄ変換器４は、入力された信号をデジタル化してデジタル信号処理部５に出力する。
【００１２】
デジタル信号処理部５では、入力されたデジタル音声データに対して前述のデジタル化の際に生じた量子化ノイズの除去を行った後、信号の符号化（圧縮変換）を行って、システム制御部６に出力する。システム制御部６は入力されたデジタル音声データを音声ファイルとして記録媒体７に記録させる。なお、このとき音声ファイルは、ユーザによって指定されたフォルダ内に格納することができる。これにより、ユーザは自身が記録した音声ファイルをＩＣレコーダ上で管理することができる。
【００１３】
次に、音声再生時の信号の流れに従って説明する。
記録した音声は、前述したようにして音声ファイルとして記録媒体７に記録されている。システム制御部６は、記録媒体７から音声ファイルを読み出して、デジタル信号処理部５に出力する。デジタル信号処理部５では、音声ファイルの復号化（伸長変換）を行った後、その信号をデジタル／アナログ（Ｄ／Ａ）変換器８に出力する。Ｄ／Ａ変換器８では、デジタル信号として読み出された音声データをアナログ信号に変換し、ＬＰＦ９に出力する。そして、ＬＰＦ９において高周波ノイズを取り除いた信号をＡＭＰ１０で増幅した後、スピーカ１１から出力することにより、音声として人間の耳に聞こえるようになる。
【００１４】
また、ＩＣレコーダにはＩＣレコーダの動作モード、動作状況、記録された音声データの録音・再生に関する時間、時計表示、電池残量表示、メモリ残量表示、警告等の各種情報表示を行う表示器１３が設けられている。システム制御部６は駆動回路１２を制御して表示器１３にこれらの情報を表示させる。
【００１５】
さらに、ＩＣレコーダは外部通信回路１４を有している。この外部通信回路１４はＩＣレコーダとＰＣやＰＤＡ等の情報処理装置との通信の際にその通信制御を行う回路である。
【００１６】
図１（Ｂ）にＩＣレコーダ２１と本一実施の形態に係る音声データ処理装置の一例である、パーソナルコンピュータ（ＰＣ）２２とを接続する際の外観図を示す。なお、本一実施の形態では、音声データ処理装置の一例として、ＰＣ２２を挙げているが、これに限るものではなく、ＰＤＡ等の他の情報機器でもよい。
【００１７】
なお、ＰＣ２２は特許請求の範囲に記載の「記録手段」及び「接続手段」を含み、さらに、「スケジュール情報付加手段」及び「送信手段」の機能を含むものである。
【００１８】
ＩＣレコーダ２１側の図示しない接続端子とＰＣ２２側の図示しない接続端子とを接続ケーブル２３によって接続することにより、記録媒体７に記録された音声ファイルをＰＣ２２に転送可能となる。なお、ＩＣレコーダ２１とＰＣ２２との通信インターフェイスには、例えば、ＵＳＢ（Ｕｎｉｖｅｒｓａｌ　Ｓｅｒｉａｌ　Ｂｕｓ）等が使用される。
【００１９】
また、ＩＣレコーダ２１には、録音スイッチ（ＲＥＣＳＷ）１５ａ、再生スイッチ（ＰＬＡＹＳＷ）１５ｂ、早送りスイッチ（ＦＦＳＷ）１５ｃ、早戻しスイッチ（ＲＥＷＳＷ）１５ｄ、及びメニュースイッチ（ＭＥＮＵＳＷ）１５ｅなどのスイッチが設けられている。ＩＣレコーダ内部のシステム制御部６は、これらのスイッチの操作状態を判定して、その状態に対応した動作を開始させる。
【００２０】
図２は、システム制御部６によって制御されるＩＣレコーダ２１のメイン動作の手順を示すフローチャートである。
ＩＣレコーダ２１の電源投入が行われた場合に本フローチャートの制御が開始され、システム制御部６は駆動回路１２を制御して、表示器１３の表示を行うなどの各種の初期設定を行う（ステップＳ１）。初期設定が終了した後は、前述した各スイッチの状態が変化したか否かを判定する（ステップＳ２）。いずれのスイッチの状態も変化していないと判定した場合には、スイッチの状態が変化するまで上記ステップＳ２の判定を繰り返す。
【００２１】
一方、上記ステップＳ２の判定において、いずれかのスイッチの状態が変化したと判定した場合には、いずれのスイッチの状態が変化したかを判定し、それに応じた制御を行うことになる。
まず、ＲＥＣＳＷ１５ａの状態がＯＮ状態に変化したか否かを判定する（ステップＳ３）。ＲＥＣＳＷ１５ａの状態がＯＮ状態に変化したと判定した場合には、ＭＩＣ１から入力された音声信号を記録媒体７に記録させる録音動作を行った後（ステップＳ４）、上記ステップＳ２に戻る。一方、上記ステップＳ３の判定において、ＲＥＣＳＷ１５ａの状態がＯＦＦ状態のままであると判定した場合には、そのままステップＳ５に進む。
【００２２】
次に、ＰＬＡＹＳＷ１５ｂの状態がＯＮ状態に変化したか否かを判定する（ステップＳ５）。ＰＬＡＹＳＷ１５ｂの状態がＯＮ状態に変化したと判定した場合には、記録媒体７に記録された音声データを再生する再生動作を行った後（ステップＳ６）、上記ステップＳ２に戻る。一方、上記ステップＳ５の判定において、ＰＬＡＹＳＷ１５ｂの状態がＯＦＦ状態のままであると判定した場合には、そのままステップＳ７に進む。
【００２３】
次に、ＦＦＳＷ１５ｃの状態がＯＮ状態に変化したか否かを判定する（ステップＳ７）。ＦＦＳＷ１５ｃの状態がＯＮ状態に変化したと判定した場合には、音声データの早送りを行う早送り動作を行った後（ステップＳ８）、上記ステップＳ２に戻る。一方、上記ステップＳ７の判定において、ＦＦＳＷ１５ｃの状態がＯＦＦ状態のままであると判定した場合には、そのままステップＳ９に進む。
【００２４】
次に、ＲＥＷＳＷ１５ｄの状態がＯＮ状態に変化したか否かを判定する（ステップＳ９）。ＲＥＷＳＷ１５ｄの状態ＯＮ状態に変化したと判定した場合には、音声データの早戻しを行う早戻し動作を行った後（ステップＳ１０）、上記ステップＳ２に戻る。一方、上記ステップＳ９の判定において、ＲＥＷＳＷ１５ｄの状態がＯＦＦ状態のままであると判定した場合には、そのままステップＳ１１に進む。
【００２５】
次に、ＭＥＮＵＳＷ１５ｅの状態がＯＮ状態に変化したか否かを判定する（ステップＳ１１）。ＭＥＮＵＳＷ１５ｅがＯＮ状態に変化したと判定した場合には、ＩＣレコーダの各種設定の変更を行うメニュー設定動作を行った後（ステップＳ１２）、上記ステップＳ２に戻る。一方、上記ステップＳ１１の判定において、ＭＥＮＵＳＷ１５ｅがＯＦＦ状態のままであると判定した場合には、そのままステップＳ１３に進む。
【００２６】
次に、ＩＣレコーダ２１とＰＣ２２とが通信接続が開始されたか否かを判定する（ステップＳ１３）。通信接続が開始されたと判定した場合には、ＩＣレコーダ２１とＰＣ２２との間での通信処理を行う（ステップＳ１４）。なお、このＩＣレコーダ２１とＰＣ２２との間での通信処理は、ＰＣ２２の所定フォルダ内に格納されている音声データをＩＣレコーダ２１の記録媒体７に記録する処理や、逆にＩＣレコーダ２１の記録媒体７に記録されている音声データをＰＣ２２の所定フォルダ内に格納する処理、さらには、後に詳述する、即ち、ＩＣレコーダの記録媒体７に音声データを記録させずに、直接ＰＣ２２内の所定フォルダに音声データを格納する処理などがある。以後、この処理のことを「ダイレクト録音処理」と称する。音声データの通信が行われた後には、図３に示すスケジュールデータベースを作成した後（ステップＳ１５）、上記ステップＳ２に戻る。一方、上記ステップＳ１３の判定において、通信接続が開始されていないと判定した場合には、そのまま上記ステップＳ２に戻る。
【００２７】
図３に、ＩＣレコーダ及びＰＣで管理される音声ファイルのデータ構成図及びそのデータに基づいて作成されるスケジュールデータベースの構成図を示す。　音声ファイルは、記録された音声ファイルを特定するための種々の情報が記録されるファイルヘッダ部と実際の音声データが記録される音声データ部とで構成される。
ファイルヘッダ部には音声ファイルを特定するためのヘッダ情報が記録される。ＩＣレコーダ２１及びＰＣ２２は、ファイルヘッダ部に記録されたヘッダ情報を読み取ることによって音声ファイルを特定することができる。ＰＣ２２は、この音声ファイルのファイルヘッダ部に、日付情報等のスケジュール情報を付加してスケジュールファイルを作成する。
【００２８】
なお、「スケジュール情報」は、例えば、予定を実行する日時あるいは音声ファイルを再生させる日時などのスケジュール管理に使用する情報である。
【００２９】
ＩＣレコーダ２１及びＰＣ２２はこのファイルヘッダ部に記録されたスケジュール情報とスケジュールファイルのファイル名などを関連付けてデータベースを作成する。このデータベースではスケジュールファイルが、例えば、時系列的に整理される。
【００３０】
音声データ部には、音声信号をデジタル変換した音声データが所定の形式で圧縮されて記録される。音声再生時には、この音声データ部に記録された音声データを読み取ることにより、ＩＣレコーダ２１またはＰＣ２２から音声が再生される。
【００３１】
図４は、本一実施の形態に係る音声データ処理装置にインストールされた音声データ処理プログラムによる制御手順を示すフローチャートである。以下の説明は、ＰＣ２２にインストールされたスケジュール管理用アプリケーション（以下、単にアプリケーションと称する。）を音声データ処理プログラムの機能をもつアプリケーションの一例として、その制御を説明するが、ＰＤＡ等にインストールされた同様のプログラムでも良い。
【００３２】
なお、このアプリケーションは、少なくともカレンダを表示してスケジュール管理する機能、通信された音声データにスケジュール情報を付加してスケジュールファイルを作成する機能、ＩＣレコーダ２１が通信接続された場合にスケジュールファイルをＩＣレコーダ２２に転送する機能を有するものである。
【００３３】
ＰＣ２２上のアプリケーションはユーザによる何らかの操作が行われるまで待機している（ステップＳ２１）。ユーザからの何らかの操作があった場合にはユーザからどのような操作があったかを判定することになる。ここで、本一実施の形態では、ＩＣレコーダ２１から通信された音声データをスケジュールファイルに変換した後、その変換したスケジュールファイルをＩＣレコーダ２１にもコピーする処理について説明し、他の処理については説明を省略する。
【００３４】
まず、アプリケーションは、カレンダ表示用のウインドウが起動しているか否かを判定する（ステップＳ２２）。カレンダ表示用のウインドウが起動していないと判定した場合には、上記ステップＳ２１に戻る。一方、カレンダ表示用のウインドウが起動していると判定した場合には、ユーザによってカレンダ上の日付が選択されたか否かを判定する（ステップＳ２３）。日付が選択されていないと判定した場合には、上記ステップＳ２１に戻る。一方、日付が選択されたと判定した場合には、予定を記録するためのスケジュール録音モードが選択されたか否かを判定する（ステップＳ２４）。なお、このスケジュール録音モードの判定は、スケジュール録音モードを判定するためのボタンをアプリケーションの表示画面上に設けておいてもよいし、日付が選択された状態で録音開始が選択された場合には自動的にスケジュール録音モードになるようにしてもよい。上記ステップＳ２４の判定において、スケジュール録音モードが選択されていないと判定した場合には、上記ステップＳ２１に戻る。
【００３５】
一方、上記ステップＳ２４の判定において、スケジュール録音モードが選択されたと判定した場合には、現在ＩＣレコーダ２１がＰＣ２２に接続されているか否かを判定する（ステップＳ２５）。ＩＣレコーダ２１が接続されていないと判定した場合には、ＩＣレコーダ２１の接続を要求するメッセージを表示画面上に表示する（ステップＳ２６）。
【００３６】
一方、上記ステップＳ２５の判定において、ＩＣレコーダ２１が接続されていると判定した場合には、ＰＣ２２のハードディスク等へダイレクト録音処理を行う（ステップＳ２７）。つまり、ＰＣ２２からＩＣレコーダ２１にダイレクト録音を開始するように命令を出し、その命令を受けたＩＣレコーダ２１は、ＭＩＣ１を介して入力される音声データを記録媒体７に記録せずに直接ＰＣ２２に転送する。ＰＣ２２のアプリケーションは、通信された音声データをリアルタイムに取得する。
【００３７】
そしてアプリケーションは、取得した音声データに対し、ユーザによって現在選択されているカレンダ上の日付をスケジュール情報として付加することによりスケジュールファイルを作成する。そして、作成したスケジュールファイルを、所定フォルダ、即ち、図５（Ａ）に示すＰＣ２２側の「ＳＣＨＥＤＵＬＥ」フォルダ内に格納する。
【００３８】
次に、録音の終了が選択されたか否かを判定する（ステップＳ２８）。録音の終了が選択されていないと判定した場合には、録音終了が選択されるまで、上記ステップＳ２７のダイレクト録音処理を続ける。
【００３９】
一方、録音の終了が選択されたと判定した場合には、ＰＣ２２からＩＣレコーダ２１の録音を終了させる命令を出して、録音を終了させる（ステップＳ２９）。
【００４０】
次に、上記ステップＳ２６で付加したスケジュール情報に基づいて図３のスケジュールデータベースを作成する（ステップＳ３０）。そして、ＰＣ２２の「ＳＣＨＥＤＵＬＥ」フォルダに記録させたスケジュールファイルと同一のスケジュールファイルを図５（Ｂ）に示す、ＩＣレコーダ２１側の記録媒体７の「ＳＣＨＥＤＵＬＥ」フォルダにコピーして（ステップＳ３１）、上記ステップＳ２１に戻る。
【００４１】
なお、上記ステップＳ３０においてＰＣ２２の「ＳＣＨＥＤＵＬＥ」フォルダに記録したスケジュールファイルを、ＩＣレコーダ２１の「ＳＣＨＥＤＵＬＥ」フォルダにコピーする際には、ステップＳ２８で録音が終了した直後に行うことが好ましい。これは、録音終了後、ユーザによってＰＣ２２とＩＣレコーダ２１との通信接続が絶たれる前にコピーを行うようにするためである。また、スケジュールファイルをコピーする際にはユーザによって通信接続が絶たれることがないようにダイアログ表示による警告を行ってもよい。
【００４２】
さらには、ＰＣ２２側において、現在送信しようとしているスケジュールファイルと同一のファイルを以前にＩＣレコーダ２１に送信したことがあるか否か、または、現在コピーしようとしているスケジュールファイルが、ＩＣレコーダ２１側の「ＳＣＨＥＤＵＬＥ」フォルダに既に記録されているか否かを、ＰＣ２２に判定させる「判定手段」を設けて、余分なデータをＩＣレコーダ２１に送信することがないようにしてもよい。
【００４３】
次に図５（Ａ），図５（Ｂ）を参照してＩＣレコーダ２１側及びＰＣ２２側それぞれの音声ファイル及びスケジュールファイルを格納するフォルダについて説明する。
まず、図５（Ａ）はＰＣ２２側のアプリケーションにおける音声ファイル及びスケジュールファイル格納用のフォルダである。ＰＣ２２にアプリケーションをインストールすると、これらのファイルを格納するためのフォルダが複数作成される。これら複数のフォルダの中で、「ＦＯＬＤＥＲ　Ａ」，「ＦＯＬＤＥＲ　Ｂ」，「ＦＯＬＤＥＲ　Ｃ」のフォルダはスケジュール情報が付加されていない通常の音声ファイルが格納されるフォルダである。ユーザは、これらのフォルダの中に自由に音声ファイルを格納することができる。一方、「ＳＣＨＥＤＵＬＥ」は、スケジュール情報が付加されたスケジュールファイルが格納されるフォルダである。上記ステップＳ２６でスケジュールファイルが作成された場合には、作成されたスケジュールファイルが録音終了後、「ＳＣＨＥＤＵＬＥ」フォルダに格納されることになる。
【００４４】
図５（Ｂ）は、ＩＣレコーダ２１側における音声ファイル及びスケジュールファイル格納用のフォルダである。ＩＣレコーダ２１側においても、音声ファイル格納用のフォルダは複数存在し、その用途もＰＣ２２側とほぼ同様である。前述したようにダイレクト録音終了後には、ＰＣ２２側からＩＣレコーダ２１側の「ＳＣＨＥＤＵＬＥ」フォルダにＰＣ２２側で作成したスケジュールファイルがコピーされる。
【００４５】
以上実施の形態に基づいて本発明を説明したが、本発明は前述した実施の形態に限定されるものではなく、本発明の要旨の範囲内で種々の変形や応用が可能なことは勿論である。
【００４６】
【発明の効果】
以上詳述したように、本発明によれば、ＩＣレコーダなどの外部装置から直接ＰＣなどの音声データ処理装置に録音を行った場合でも、両者の間でのデータの整合性を保つことができる音声データ処理装置及び音声データ処理プログラムをを提供することができる。
【図面の簡単な説明】
【図１】図１（Ａ）は本発明の一実施の形態に係る音声データ処理装置と接続される外部装置の構成図であり、図１（Ｂ）は本発明の一実施に係る音声データ処理装置と外部装置とを通信接続する際の外観図である。
【図２】ＩＣレコーダのメイン動作の制御手順を示すフローチャートである。
【図３】音声ファイル及びスケジュールデータベースの構成図である。
【図４】本発明の一実施の形態に係る音声データ処理装置に搭載された音声データ処理プログラムによる制御手順を示すフローチャートである。
【図５】図１（Ａ）はパーソナルコンピュータ側における音声データを格納するフォルダに関する説明図であり、図１（Ｂ）はＩＣレコーダ側における音声データを格納するフォルダに関する説明図である。
【符号の説明】
１　マイクロホン（ＭＩＣ）
２，１０　増幅器（ＡＭＰ）
３　低域通過フィルタ（ＬＰＦ）
４　アナログ／デジタル（Ａ／Ｄ）変換器
５　デジタル信号処理部
６　システム制御部
７　記録媒体
８　デジタル／アナログ（Ｄ／Ａ）変換器
１１　スピーカ
１２　駆動回路
１３　表示器
１４　外部通信回路
１５ａ　録音スイッチ（ＲＥＣＳＷ）
１５ｂ　再生スイッチ（ＰＬＡＹＳＷ）
１５ｃ　早送りスイッチ（ＦＦＳＷ）
１５ｄ　早戻しスイッチ（ＲＥＷＳＷ）
１５ｅ　メニュースイッチ（ＭＥＮＵＳＷ）
２１　ＩＣレコーダ
２２　パーソナルコンピュータ（ＰＣ）
２３　接続ケーブル
【図１】
2004101563.tif 000003
【図２】
2004101563.tif 000004
【図３】
2004101563.tif 000005
【図４】
2004101563.tif 000006
【図５】
2004101563.tif 000007